(57)【要約】【課題】内側から容易に設置できるフェンスを提供する。【解決手段】フェンス１０は、支柱１２と、第一固定具１４および第二固定具１６と、第一横板２０、第二横板２２、縦板２４を備える外装ユニット１８を有する。第一固定具１４は、第一取付部１４ａと、第一支持部１４ｂと、第二支持部１４ｃと、第三支持部１４ｄを備える。第二固定具１６は、第二取付部１６ａと、第四支持部１６ｂと、第五支持部１６ｃを備える。第一横板２０の底面２０ａには第一底溝２０ｂが、第二横板２２の底面２２ａには第二底溝２２ｂがそれぞれ形成されている。底面２０ａと底面２２ａが、第一支持部１４ｂと第四支持部１６ｂにそれぞれ支持され、第二支持部１４ｃおよび第三支持部１４ｄが第一底溝２０ｂに密着するように挿入され、第五支持部が第二底溝２２ｂに密着するように挿入される。【選択図】図２
0003177295.tif 000002
【実用新案登録請求の範囲】
【請求項１】
支柱と、
前記支柱に取り付けられた第一固定具および第二固定具と、
第一横板、第二横板、ならびに前記第一横板および前記第二横板に取り付けられた縦板とを備える外装ユニットと、
を有するフェンスであって、
前記第一固定具は、前記支柱に留められる第一取付部と、前記支柱から遠ざかるように前記第一取付部の上端から突出した第一支持部と、前記第一支持部の先端から上方向に突出した第二支持部と、前記支柱に近づくように前記第二支持部の先端から突出した第三支持部と、を備え、
前記第二固定具は、前記支柱に留められる第二取付部と、前記支柱から遠ざかるように前記第二取付部の上端から突出した第四支持部と、前記第四支持部の先端から上方向に突出した第五支持部と、を備え、
前記第一横板の底面には、前記第二支持部および前記第三支持部が密着するように挿入される第一底溝が形成され、
前記第二横板の底面には、第五支持部が密着するように挿入される第二底溝が形成され、
前記第一横板の底面が前記第一支持部で支持されると共に、前記第二支持部および前記第三支持部が前記第一底溝に挿入され、前記第二横板の底面が前記第四支持部で支持されると共に、前記第五支持部が前記第二底溝に挿入されて、前記外装ユニットが前記支柱に固定されたフェンス。
【請求項２】
請求項１において、
２以上の外装ユニットを有し、
少なくとも隣接する２つの第一横板の背面には第一背溝が形成され、
前記隣接する２つの第一横板の第一背溝に渡って挿入され、前記隣接する２つの第一横板を連結固定する連結板をさらに有するフェンス。
【請求項３】
請求項２において、
少なくとも隣接する２つの第二横板の背面には第二背溝が形成され、
前記隣接する２つの第二横板の第二背溝に渡って挿入され、前記隣接する２つの第二横板を連結固定する連結板をさらに有するフェンス。
【請求項４】
請求項１から３のいずれかにおいて、
両端に配置された前記第一横板の開放端面に、前記第一底溝を覆うように固定される第一端蓋をさらに有するフェンス。
【請求項５】
請求項１から４のいずれかにおいて、
両端に配置された前記第二横板の開放端面に、前記第二底溝を覆うように固定される第二端蓋をさらに有するフェンス。
【考案の詳細な説明】
【技術分野】
【０００１】
本考案は、内側から容易に設置できるフェンスに関するものである。
【背景技術】
【０００２】
敷地の外周や隣地との境界等に設置するフェンスには、支柱、横板、および縦板を組み合わせて構成されるものがある。このフェンスは、複数の支柱の下部を一定の間隔で地中に埋設・固定した後、隣り合った支柱間に横板を固定し、さらに複数の縦板を横板に固定することによって設置する。このフェンスでは、横板は支柱の外側に固定され、縦板は横板のさらに外側に固定されるのが一般的である。法面や崖端付近では外側からの作業が制約されるため、このフェンスを設置するのは困難である。
【考案の概要】
【考案が解決しようとする課題】
【０００３】
本考案はこのような事情に鑑みてなされたものであり、内側から容易に設置できるフェンスを提供することを目的とする。
【課題を解決するための手段】
【０００４】
本考案のフェンスは、支柱と、支柱に取り付けられた第一固定具および第二固定具と、第一横板、第二横板、ならびに第一横板および第二横板に取り付けられた縦板とを備える外装ユニットと、を有するフェンスであって、第一固定具は、支柱に留められる第一取付部と、支柱から遠ざかるように第一取付部の上端から突出した第一支持部と、第一支持部の先端から上方向に突出した第二支持部と、支柱に近づくように第二支持部の先端から突出した第三支持部と、を備え、第二固定具は、支柱に留められる第二取付部と、支柱から遠ざかるように第二取付部の上端から突出した第四支持部と、第四支持部の先端から上方向に突出した第五支持部と、を備え、第一横板の底面には、第二支持部および第三支持部が密着するように挿入される第一底溝が形成され、第二横板の底面には、第五支持部が密着するように挿入される第二底溝が形成され、第一横板の底面が第一支持部で支持されると共に、第二支持部および第三支持部が第一底溝に挿入され、第二横板の底面が第四支持部で支持されると共に、第五支持部が第二底溝に挿入されて、外装ユニットが支柱に固定されている。
【０００５】
本考案のフェンスにおいて、２以上の外装ユニットを有し、少なくとも隣接する２つの第一横板の背面には第一背溝が形成され、隣接する２つの第一横板の第一背溝に渡って挿入され、隣接する２つの第一横板を連結固定する連結板をさらに有していてもよい。さらに、本考案のフェンスにおいて、少なくとも隣接する２つの第二横板の背面には第二背溝が形成され、隣接する２つの第二横板の第二背溝に渡って挿入され、隣接する２つの第二横板を連結固定する連結板をさらに有していてもよい。
【０００６】
本考案のフェンスにおいて、両端に配置された第一横板の開放端面に、第一底溝を覆うように固定される第一端蓋をさらに有していてもよい。さらに、本考案のフェンスにおいて、両端に配置された第二横板の開放端面に、第二底溝を覆うように固定される第二端蓋をさらに有していてもよい。
【考案の効果】
【０００７】
本考案によれば、内側から容易に設置できるフェンスが得られる。
【図面の簡単な説明】
【０００８】
【図１】本考案の実施形態に係るフェンスの正面図である。
【図２】図１のフェンスのＡ−Ａ線断面拡大模式図である。
【図３】本考案の実施形態に係るフェンスの部分背面図である。
【図４】本考案の実施形態に係るフェンスの左端の部分端面図である。
【図５】本考案の実施形態に係るフェンスの右端の部分端面図である。
【図６】本考案の他の実施形態に係るフェンスの正面図である。
【考案を実施するための形態】
【０００９】
以下、本考案のフェンスについて、図面を参照しながら実施形態に基づいて説明する。なお、図面は、フェンスおよびフェンスを構成する各部材を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の実施形態に係るフェンス１０の正面図である。正面図は、フェンス１０を外側から見た図である。図２は、図１のフェンス１０をＡ−Ａ線で切断したときの拡大断面模式図である。フェンス１０は、２つの支柱１２，１２と、第一固定具１４と、第二固定具１６と、２つの外装ユニット１８，１８とを備える。なお、本実施形態のフェンス１０は、説明を単純化するために、２つの支柱１２および２つの外装ユニット１８を備える基本的な構造とした。
【００１１】
支柱１２は、例えば、表面に樹脂被膜を備える金属管からなる。支柱１２は、例えば、一片が３０ｍｍ〜５０ｍｍの正方形を底面とし、高さが５００ｍｍ〜１５００ｍｍである中空の四角柱形状を有する。なお、支柱１２の数量、材質、形状、および大きさ、ならびに外装ユニット１８の数量は、これらに限定されない。
【００１２】
図２に示すように、第一固定具１４は支柱１２に取り付けられる。第一固定具１４は、例えば、幅２０ｍｍ〜４０ｍｍ、長さ４０ｍｍ〜６０ｍｍ、厚さ１ｍｍ〜２ｍｍの金属板を長さ方向で折り曲げ加工して得られる。第一固定具１４は、図２に示すように、支柱１２にフェンス１０の内側となる方向からネジ等で留められる第一取付部１４ａと、支柱１２から遠ざかるように第一取付部１４ａの上端から突出した第一支持部１４ｂと、第一支持部１４ｂの先端から上方向に突出した第二支持部１４ｃと、支柱１２に近づくように第二支持部１４ｃの先端から突出した第三支持部１４ｄとを備える。
【００１３】
第一取付部１４ａ、第一支持部１４ｂ、第二支持部１４ｃ、および第三支持部１４ｄの長さは、例えば、それぞれ２０ｍｍ〜３０ｍｍ、１０ｍｍ〜２０ｍｍ、５ｍｍ〜１０ｍｍ、および２ｍｍ〜５ｍｍである。なお、第一固定具１４の材質、形状、および大きさ、ならびに第一固定具１４の各部分の大きさはこれらに限定されない。
【００１４】
第二固定具１６も支柱１２に取り付けられる。支柱１２に取り付けられた第一固定具１４および第二固定具１６に外装ユニット１８を取り付けることによって、外装ユニット１８が支柱１２に固定される。第二固定具１６は、例えば、幅２０ｍｍ〜４０ｍｍ、長さ４０ｍｍ〜６０ｍｍ、厚さ１ｍｍ〜２ｍｍの金属板を長さ方向で折り曲げ加工して得られる。第二固定具１６は、図２に示すように、支柱１２にフェンス１０の内側となる方向からネジ等で留められる第二取付部１６ａと、支柱１２から遠ざかるように第二取付部１６ａの上端から突出した第四支持部１６ｂと、第四支持部１６ｂの先端から上方向に突出した第五支持部１６ｃとを備える。
【００１５】
第二取付部１６ａ、第四支持部１６ｂ、および第五支持部１６ｃの長さは、例えば、それぞれ２０ｍｍ〜３０ｍｍ、１０ｍｍ〜２０ｍｍ、および５ｍｍ〜１０ｍｍである。なお、第二固定具１６の材質、形状、および大きさ、ならびに第二固定具１６の各部分の大きさはこれらに限定されない。
【００１６】
外装ユニット１８は、第一横板２０と、第二横板２２と、４つの縦板２４とを備える。第一横板２０および第二横板２２は、例えば、縦２０ｍｍ〜４０ｍｍ、横３０ｍｍ〜５０ｍｍ、長さ５００ｍｍ〜３０００ｍｍの樹脂製の四角柱に、後述する溝を形成したような形状を有する。縦板２４は、例えば、幅８０ｍｍ〜１２０ｍｍ、最大長さ３００ｍｍ〜１４００ｍｍ、最少長さ２００ｍｍ〜１３００ｍｍ、厚さ５ｍｍ〜１５ｍｍの五角形の樹脂製板で構成される。縦板２４は、図１に示すように、フェンス１０の外側となる方向から、第一横板２０および第二横板２２にネジ等を用いて取り付けられている。なお、外装ユニット１８は、３以上の横板を有していてもよいし、縦板の枚数に制限はない。
【００１７】
第一横板２０の底面２０ａには、第一横板２０の長手方向に沿って断面略Ｌ字形状の第一底溝２０ｂが形成されている。第一底溝２０ｂには、第二支持部１４ｃおよび第三支持部１４ｄが密着するように挿入される。また、第二横板２２の底面２２ａには、第二横板２２の長手方向に沿って断面略Ｌ字形状の第二底溝２２ｂが形成されている。なお、本実施形態では、第一底溝２０ｂおよび第二底溝２２ｂの内部に、断面Ｌ字形状を有する金属製の補強具２５，２５が設けられている。補強具２５，２５によって、第一横板２０および第二横板２２の強度が増加する。第一底溝２０ｂと第二底溝２２ｂは、同一形状であってもよい。第一底溝２０ｂと第二底溝２２ｂを同一形状にすれば、第一横板２０と第二横板２２は共通部材が使えるため、コストダウンが図れる。
【００１８】
図３は、フェンス１０の部分背面図である。本実施形態では、第一横板２０の背面２０ｃには、例えば、幅１０ｍｍ〜２０ｍｍ、深さ１ｍｍ〜３ｍｍの第一背溝２０ｄが形成されている。そして、隣接する２つの第一横板２０，２０の第一背溝２０ｄ，２０ｄに渡って、連結板２６がネジ等を用いて固定されている。このため、外装ユニット１８を横方向に複数設置しても、連結板２６によって、外装ユニット１８の縦ずれを抑えることができる。また、フェンス１０の内側から連結板２６を固定できるため、法面や崖端付近等の外側からの作業が制約される場所でもフェンス１０が容易に設置できる。
【００１９】
また、第二横板２２の背面２２ｃには、例えば、幅１０ｍｍ〜２０ｍｍ、深さ１ｍｍ〜３ｍｍで、第一背溝２０ｄと同じ形状の第二背溝２２ｄが形成されている。そして、隣接する第二横板２２，２２の第二背溝２２ｄ，２２ｄに渡って、連結板２８がネジ等を用いて固定されている。連結板２６，２８は、それぞれ第一背溝２０ｄおよび第二背溝２２ｄに対応する幅と厚さを有している。なお、本実施形態では、第一横板２０および第二横板２２に連結板２６，２８が設けられているが、一方の横板のみに連結板を設けてもよい。
【００２０】
図４は、フェンス１０の正面に向かって左端の部分端面図である。図５は、フェンス１０の正面に向かって右端の部分端面図である。本実施形態では、図４および図５に示すように、フェンス１０の左右両端に配置された第一横板２０，２０の開放端面２０ｅ，２０ｅに、第一底溝２０ｂを覆うように固定される第一端蓋４０，４０が設けられている。同様に、フェンス１０の左右両端に配置された第二横板２２，２２の開放端面２２ｅ，２２ｅに、第二底溝２２ｂを覆うように固定される第二端蓋４２，４２が設けられている。なお、本実施形態では、第一端蓋４０および第二端蓋４２が設けられているが、第一端蓋４０または第二端蓋４２のうち一方のみを設けてもよい。また、フェンス１０が１つの外装ユニット１８のみを有する場合には、その外装ユニット１８の第一横板２０および第二横板２２が、両端に配置された第一横板２０および第二横板２２に相当する。
【００２１】
つぎに、フェンス１０の設置方法について説明する。まず、ネジ等を用いて第一固定具１４および第二固定具１６を支柱１２の前面の所定の位置に取り付ける。つぎに、所定の間隔で支柱１２，１２の下部を地中に埋設し、コンクリート等で固定する。支柱１２，１２の下部を地中に埋設せずに、新設または既存のブロックの穴に支柱１２，１２の下部を差し込んで固定してもよい。そして、第一固定具１４および第二固定具１６の横方向から、予め組み立てられた外装ユニット１８，１８を装着する。
【００２２】
つぎに、第一横板２０，２０の背面から連結板２６を第一背溝２０ｄ，２０ｄに装着して、ネジ等を用いて第一横板２０，２０を連結板２６で連結固定する。同様に、第二横板２２，２２の背面から連結板２８を第一背溝２２ｄ，２２ｄに装着して、ネジ等を用いて第二横板２２，２２を連結板２８で連結固定する。こうして、外装ユニット１８の支柱１２への固定が完了する。
【００２３】
外装ユニット１８を第一固定具１４および第二固定具１６に装着しただけの状態や、その後の連結板２６，２８で外装ユニット１８，１８を連結固定した状態では、外装ユニット１８に横方向からの強い力が加われば、外装ユニット１８が横方向に動くことがある。そこで、外装ユニット１８の横方向への移動を防止する観点および意匠的観点から、フェンス１０の左右両端に配置された第一横板２０，２０の開放端面２０ｅ，２０ｅに、第一底溝２０ｂを覆うように第一端蓋４０，４０をネジ等を用いて固定する。同様に、フェンス１０の左右両端に配置された第二横板２２，２２の開放端面２２ｅ，２２ｅに、第二底溝２２ｂを覆うように第二端蓋４２，４２をネジ等を用いて固定する。こうして、フェンス１０の左右両端で第一底溝２０ａと第二底溝２２ｂが閉鎖されるので、外装ユニット１８が左右方向に動きにくくなる。このようにして、本実施形態のフェンス１０は内側から容易に設置できる。
【００２４】
以上、実施形態に基づいて本考案のフェンスを説明したが、本考案のフェンスは上記実施形態に限定されない。図６は、他の実施形態に係るフェンス５０の正面図である。フェンス５０の高さはフェンス１０の高さと比べると大きいため、フェンス５０は３本の横板５２，５４，５６を有する。横板５２の支柱６０への固定には第一固定具１４を用い、横板５６の支柱６０への固定には第二固定具１６を用いる。横板５４の支柱６０への固定には、第一固定具１４を用いてもよいし、第二固定具１６を用いてもよい。さらに、横板５２の支柱６０への固定と横板５６の支柱６０への固定が強固であれば、横板５４の支柱６０への固定手段を省略してもよい。
【００２５】
また、１つの外装ユニットを２つの支柱に渡って装着してもよいし、連結板を適宜用いて、３以上の外装ユニットを２つの支柱に装着してもよい。さらに、３以上の外装ユニットと３以上の支柱を用いて本考案のフェンスを構成してもよい。この場合、支柱および外装ユニットの大きさやフェンスの設置場所等に応じて、第一固定具、第二固定具、および連結板を適宜組み合わせて使用し、外装ユニットを支柱に取り付ける。
【符号の説明】
【００２６】
１０…フェンス、  １２…支柱、  １４…第一固定具、  １４ａ…第一取付部、  １４ｂ…第一支持部、  １４ｃ…第二支持部、  １４ｄ…第三支持部、  １６…第二固定具、  １６ａ…第二取付部、  １６ｂ…第四支持部、  １６ｃ…第五支持部、  １８…外装ユニット、  ２０…第一横板、  ２０ａ…底面、  ２０ｂ…第一底溝、  ２０ｃ…背面、  ２０ｄ…第一背溝、  ２０ｅ…開放端面、  ２２…第二横板、  ２２ａ…底面、  ２２ｂ…第二底溝、  ２２ｃ…背面、  ２２ｄ…第二背溝、  ２２ｅ…開放端面、  ２４…縦板、  ２５…補強具、  ２６，２８…連結板、  ２８…連結板、  ４０…第一端蓋、  ４２…第二端蓋、  ５０…フェンス、  ５２，５４，５６…横板、  ６０…支柱
【図１】
0003177295.tif 000003
【図２】
0003177295.tif 000004
【図３】
0003177295.tif 000005
【図４】
0003177295.tif 000006
【図５】
0003177295.tif 000007
【図６】
0003177295.tif 000008